(57)【要約】【課題】本発明は、様々な装飾を楽しむことができ、かつ必要な時に直ぐに取り外して使用できるゴルフ用具を提供する。【解決手段】ゴルフマーカーセットＡは、内部に磁石を有するマーカー１と、マーカー１と着脱自在に密着可能な本体２とからなる。なお、ゴルフマーカーセットＡはゴルフ用具の一例であり、マーカー１は離脱体の一例である。マーカー１は、ドーム状の形状を有する上蓋１０と、上蓋１０と嵌合可能な、円盤状の形状を有する中蓋１１とから成り、中空に形成されている。上蓋１０は、布地である被覆体１２が上蓋１０を覆い包み込むように取り付けられている。【選択図】図１
2017051288.tif 000002
【特許請求の範囲】
【請求項１】
全部または一部に装飾が施された上蓋と、該上蓋と嵌合可能な中蓋とを有する離脱体と、
該離脱体と着脱自在に密着可能な載置台と、該載置台の前記離脱体と密着する側と反対側に設けられ、被挟持物を挟持する挟持具を有する本体とを備えた
ゴルフ用具。
【請求項２】
前記中蓋側に磁石が設けられると共に、前記載置台が強磁性体である
請求項１に記載のゴルフ用具。
【請求項３】
前記載置台側に磁石が設けられると共に、前記中蓋が強磁性体である
請求項１に記載のゴルフ用具。
【請求項４】
上蓋と、該上蓋と嵌合可能な中蓋と、前記上蓋を覆い、同上蓋が前記中蓋と嵌合する際同上蓋と共に同中蓋に挟み込まれる被覆体と、前記中蓋の、前記上蓋と嵌合する側の面に設けられた磁石体を有する離脱体と、
該離脱体と着脱自在に密着可能な載置台と、該載置台の前記離脱体と密着する側と反対側に設けられ、被挟持物を挟持する挟持具を有する本体とを備えた
ゴルフ用具。
【請求項５】
前記被覆体は、織物である
請求項４に記載のゴルフ用具。
【請求項６】
全部または一部に装飾が施された離脱体と、
該離脱体と着脱自在に密着可能な載置台と、該載置台の前記離脱体と密着する側と反対側に設けられ、被挟持物を挟持する挟持具を有する本体とを備えた
ゴルフ用具。
【発明の詳細な説明】
【技術分野】
【０００１】
本発明はゴルフ用具に関する。詳しくは、様々な装飾を楽しむことができ、かつ必要な時に直ぐに取り外して使用できるゴルフ用具に関するものである。
【背景技術】
【０００２】
ゴルフは、イギリス発祥の紳士のスポーツとして知られている。競技者自身が審判であり、ルールはもちろんのことマナーを守る「自律」が非常に重視されているからである。また、プロのゴルファーでさえプレッシャーに押されてパットを外してしまうこともあり、精神力が重要とされるスポーツでもある。
【０００３】
ゴルフが世界的に広まったのは１８８０年代のゴルフブームがイングランドで起こってからである。イギリス人によって世界各地にゴルフ場が作られ、世界的なスポーツになっていった。
【０００４】
ゴルフは、通常４人一組でコースを回る。一日で１８ホールを回り、各ホールの打数の合計数により勝敗が決まる。各ホールは、ティーインググラウンド、スルーザグリーン、ハザード、グリーンに区分される。グリーンの任意の場所にホール（カップとも呼ばれる。）が設けられている。
【０００５】
グリーンの上では、コース中の他の場所と違い、マークを行うことで自由にボールを取り上げることが出来る。マークは、ボールの近傍であってホールから遠い側にマーカーを置くことで行う。マーカーにボールを戻すときは、マーカーの前にボールを置くようにして、ボールを取り上げる前後でボールの位置が変わらないよう注意して行う。
【０００６】
そもそも、ゴルフプレーヤーが、ゴルフコースのグリーン上に自己のボールがある場合に他のプレーヤーのプレーが終了するまで自己のボールをグリーン上から取り出すのは、他のプレーヤーのプレーを妨げることがないようにするためである。
【０００７】
ゴルフのルール上でも、グリーン上からの打球が他の競技者のグリーン上のボールにあたると、二打罰のペナルティとなるとされている。そのために、プレーヤーは、予め他のプレーヤーにマークを行うことを要請することができる。罰則を受けることを未然に防ぐためである。
【０００８】
その他にも、グリーン上からの打球が抜かれていない旗竿、置かれた旗竿、プレーヤー自身、プレーヤーの道具やキャディーにボールがあたると２打罰のペナルティとなるなど、グリーン上でボールの扱いは厳しいルールが定められている。
【０００９】
そのためプレーヤーは、自己のボールの代わりにグリーン上にゴルフマーカーを置き、自己のボールがあった位置を示すことで、他のプレーヤーのボールとの接触を避け、罰則を受けないように注意を払っている。なお、マーカーを使うかどうかは、競技者の自由であり、ルール上で使うよう定められているものではない。
【００１０】
一方で、マークに使うマーカーは、多種多様なマーカーが販売されており、コース独自の記念品的な意味合いの高い特製マーカーや、プレーヤーが自身のオリジナルマーカーを造る場合もあり、それを鑑賞するための額縁なども販売されている。マーカーを集めることはゴルフの趣味的な一要素として広く好まれているほどである。
【００１１】
このように、ゴルフマーカーは、ゴルフコースを回るプレーヤーにとって必需品であるので、使い勝手の良いものであると同時に、プレーヤーの趣向に沿ったデザイン性も求められている。
例えば、特許文献１に示すように、反射板を備えたゴルフマーカーなどが考案されている。
【００１２】
特許文献１に記載のゴルフマーカーは、基板に取り付けられた反射材がクリスタルガラスにより作られているので、遠方からでも容易に認識することができると共に、光の反射の具合を考慮して作られているので、より美しく感じられるようになっている。
【先行技術文献】
【特許文献】
【００１３】
【特許文献１】特開２００７−３３０７１２号公報
【発明の概要】
【発明が解決しようとする課題】
【００１４】
しかしながら、特許文献１に記載するゴルフマーカーは、容易に分離可能な構造を想定しておらず一体的に形成されているため、ゴルフマーカー自体に彩色を施す、または刻印をするなどして装飾を施すしかできず、装飾の手法に制限があった。このため、他の装飾が施されたゴルフマーカーを手に入れたい場合には、趣向に沿った装飾が施されたゴルフマーカーを新たに購入するしかない。
【００１５】
また、特許文献１に記載するゴルフマーカーは衣類などに取り付けて携行することができるような構造にはなっておらず、プレー中は衣類のポケットの中に入れるなどして保管するしかないので、探し出すのに手間がかかる。
【００１６】
本発明は以上の点に鑑みて創案されたものであり、様々な装飾を楽しむことができ、かつ必要な時に直ぐに取り外して使用できるゴルフ用具を提供することを目的とする。
【課題を解決するための手段】
【００１７】
上記課題を解決するために、本発明のゴルフ用具は、全部または一部に装飾が施された上蓋と、該上蓋と嵌合可能な中蓋とを有する離脱体と、該離脱体と着脱自在に密着可能な載置台と、該載置台の前記離脱体と密着する側と反対側に設けられ、被挟持物を挟持する挟持具を有する本体とを備える。
【００１８】
ここで、全部または一部に装飾が施された上蓋を有する離脱体によって、装飾性のある離脱体とすることができる。
【００１９】
また、上蓋と、この上蓋と嵌合可能な中蓋とを有する離脱体によって、上蓋と中蓋を着脱自在にすることができる。
【００２０】
また、離脱体と着脱自在に密着可能な載置台によって、載置台から離脱体を容易に取り外し、取り付けることができる。
【００２１】
また、載置台の離脱体と密着する側と反対側に設けられ、被挟持物を挟持する挟持具を有する本体によって、本体を被挟持物に確実に取り付けることができる。
【００２２】
また、離脱体と着脱自在に密着可能な載置台と、載置台の離脱体と密着する側と反対側に設けられ、被挟持物を挟持する挟持具を有する本体によって、載置台と本体を被挟持物に確実に取り付けることができる。
【００２３】
また、中蓋側に磁石が設けられると共に、載置台が強磁性体である場合には、離脱体と本体を確実に密着させることができる。
【００２４】
また、載置台側に磁石が設けられると共に、中蓋が強磁性体である場合には、離脱体と本体を確実に密着させることができる。
【００２５】
また、上記課題を解決するために、本発明のゴルフ用具は、上蓋と、該上蓋と嵌合可能な中蓋と、前記上蓋を覆い、同上蓋が前記中蓋と嵌合する際同上蓋と共に同中蓋に挟み込まれる被覆体と、前記中蓋の、前記上蓋と嵌合する側の面に設けられた磁石体を有する離脱体と、該離脱体と着脱自在に密着可能な載置台と、該載置台の前記離脱体と密着する側と反対側に設けられ、被挟持物を挟持する挟持具を有する本体とを備える。
【００２６】
上蓋と、上蓋と嵌合可能な中蓋とを有する離脱体によって、上蓋と中蓋が着脱可能な離脱体とすることができる。
【００２７】
上蓋と、上蓋と嵌合可能な中蓋と、上蓋を覆い、上蓋が中蓋と嵌合する際上蓋と共に中蓋に挟み込まれる被覆体とを有する離脱体によって、上蓋を被覆体と共に中蓋に嵌合させて、被覆体を上蓋に密着させることができる。
【００２８】
中蓋の、上蓋と嵌合する側の面に設けられた磁石体を有する離脱体と、離脱体と着脱自在に密着可能な載置台を備える本体によって、離脱体と本体を着脱容易にすることができる。
【００２９】
載置台の離脱体と密着する側と反対側に設けられ、被挟持物を挟持する挟持具を有する本体によって、様々な被挟持物に本体を取り付けることができる。
【００３０】
また、被覆体が織物である場合には、柔軟な素材で上蓋が覆われるので、より上蓋に密着しやすくなる。
【００３１】
また、上記課題を解決するために、本発明のゴルフ用具は、全部または一部に装飾が施された離脱体と、離脱体と着脱自在に密着可能な載置台と、該載置台の前記離脱体と密着する側と反対側に設けられ、被挟持物を挟持する挟持具を有する本体とを備える。
【００３２】
また、全部または一部に装飾が施された上蓋を有する離脱体によって、装飾性のある離脱体とすることができる。
【００３３】
また、離脱体と着脱自在に密着可能な載置台によって、載置台から離脱体を容易に取り外し、取り付けることができる。
【００３４】
また、載置台の離脱体と密着する側と反対側に設けられ、被挟持物を挟持する挟持具を有する本体によって、本体を被挟持物に確実に取り付けることができる。
【００３５】
また、離脱体と着脱自在に密着可能な載置台と、載置台の離脱体と密着する側と反対側に設けられ、被挟持物を挟持する挟持具を有する本体によって、載置台と本体を被挟持物に確実に取り付けることができる。
【発明の効果】
【００３６】
本発明に係るゴルフ用具は、様々な装飾を楽しむことができ、かつ必要な時に直ぐに取り外して使用できるものとなっている。
【図面の簡単な説明】
【００３７】
【図１】第1の実施の形態に係る離脱体の構造を示した透視斜視説明図である。
【図２】第1の実施の形態に係るゴルフ用具の取付け構成を示した透視斜視図である。
【図３】第1の実施の形態に係るゴルフ用具の使用状態を示した参照図である。
【図４】第２の実施の形態に係る離脱体の構造を示した透視斜視説明図である。
【図５】ゴルフマーカーの一般的な使用態様を示した参照図である。
【発明を実施するための形態】
【００３８】
以下、本発明の実施の形態について図１ないし図５を参照しながら説明し、本発明の理解に供する。
【００３９】
［第１の実施の形態］
図１に示すように、本発明を適用した、第１の実施の形態であるゴルフマーカーセットＡは、内部に磁石Ｍを有するマーカー１と、マーカー１と着脱自在に密着可能な本体２とからなる。なお、ゴルフマーカーセットＡはゴルフ用具の一例であり、マーカー１は離脱体の一例である。
【００４０】
マーカー１は、ドーム状の形状を有する上蓋１０と、上蓋１０と嵌合可能な、平面視略円形の形状を有する中蓋１１とから成り、中空に形成されている。上蓋１０は平面視略円形状に形成され、後述する様に、上蓋１０を平面視した形状である円形の形状と同一の形状を外周として有する中蓋１１と隙間なく嵌合することができる構造となっている。
【００４１】
上蓋１０には、布地である被覆体１２が上蓋１０を全体的に覆い包み込むように取り付けられている。被覆体１２の端部１２０は上蓋１０の外周部１００を包みながら、上蓋１０の内部に形成された空間に収容されている。
【００４２】
中蓋１１の周囲には、エッジ部１１０が上方に向けて直立しており、エッジ部１１０を含む中蓋１１の縁部の断面の形状は「Ｌ」の字を横に倒した形状になっている。
【００４３】
そして、中蓋１１の上面１１２とエッジ部１１０で囲われた空間に、被覆体１２で覆われた上蓋１０が挟み込まれる際、被覆体１２の厚みが上蓋１０の直径に加わるので、上蓋１０は被覆体１２と共に中蓋１１に確実に嵌合され固定される。
【００４４】
また、上蓋１０と中蓋１１が嵌合する際には、図２に示すように、被覆体１２に覆われた上蓋１０の外周部１００と中蓋１１のエッジ部１１０が、被覆体１２を間に挟み込みながら嵌合することによって、被覆体１２は上蓋１０の頂付近から曲面１０１に沿って隙間なく密着して張り付けられる。
【００４５】
被覆体１２の端部１２０は、上蓋１０の内部に形成された空間に収容される。図２に示すように、上蓋１０は内部が中空の構造となっているので、被覆体１２の端部１２０を収納することができる。
【００４６】
このとき、先述したように、被覆体１２は上蓋１０の外周部１００と中蓋１１のエッジ部１１０により確実に挟み込まれているので、たるみにくく、容易に上蓋１０から剥がれることはない。
【００４７】
図１及び図２に示すように、中蓋１１の上面１１２上の略中央付近には磁石Ｍが設けられており、マーカー１は磁石Ｍによって、後述するように、磁性体である本体２と着脱自在に取り付けられる。
【００４８】
本体２は、載置台２０と、載置台２０をゴルフキャップのつば部Ｃに取り付けるクリップ２１から成る。なお、ゴルフキャップのつば部Ｃは被挟持物の一例であり、クリップ２１は、挟持具の一例である。
【００４９】
載置台２０は、中蓋１１の平面視略円形の形状と同一の形状を有する。また、載置台２０は強磁性体であるので、マーカー１内部の磁石Ｍと互いに引き付け合い、一定の力をもって確実に密着する。なお、この一定の力は、プレーヤーＰが指でマーカー１を摘んでマーカー１と載置台２０を相互にスライドさせることで、容易に取り外すことができる程度の強さであるので、マーカー１は載置台２０に着脱容易な構造となっている。
【００５０】
上記のような構造であることから、強磁性体である載置台２０の上面２００は、磁石Ｍが取り付けられた中蓋１１と密着することができるので容易に離脱しにくくなっていると同時に、プレーヤーＰが取り外そうとした場合にのみ容易に取り外すことができる。
【００５１】
載置台２０の下面２０１には、クリップ２１が取り付けられている。クリップ２１には、被挟持物をスムーズに挟持し、あるいは開放することができるようにバネなどを用いることで弾性が備えられている。
【００５２】
クリップ２１は、ゴルフキャップのつば部Ｃを挟持するための咬合部２１０と咬合部２１０の開閉をスムーズにする緩衝部２１１とから成る。プレーヤーＰは緩衝部２１１を指で把持し、ゴルフキャップのつば部Ｃの縁を咬合部２１０に差し込みんで、マーカーセットＡをつば部Ｃに固定する。
【００５３】
このように、クリップ２１により、本体２、若しくは本体２にマーカー１が密着したゴルフマーカーセットＡをプレーヤーＰのゴルフキャップのつば部Ｃに取り付けることができる。なお、クリップ２１の構造は、ゴルフキャップのつば部Ｃなどの被挟持物を挟持できる構造であれば良い。
【００５４】
また、プレーヤーＰがゴルフマーカーセットＡをゴルフキャップのつば部Ｃに装着することで、プレーヤーＰはプレー中にマーカー１を衣類のポケットなどに入れる必要がなく、つば部Ｃに手を伸ばせばすぐマーカー１を本体２から容易に取り外すことができるので、すぐ取り出して使用することができる。
【００５５】
また、プレーヤーＰは、ゴルフマーカーセットＡをゴルフキャップのつば部Ｃに装着することで、常にマーカー１の所在を容易に確認でき、衣類のポケットなどを探る必要がないので、いつでも必要な時にすぐマーカー１を取り出して、円滑にプレーすることができる
【００５６】
ここで、マーカー１及び載置台２０は円盤状の形状に限られるものではなく、四角形状などの他の形状であってもよく、また、互いに異なる形状であってもよい。
【００５７】
また、マーカー１及び載置台２０は互いに密着できればよく、凹凸構造を互いに噛み合わせるなどの、磁石以外の密着方法も考えられる。
【００５８】
また、上蓋１０、中蓋１１、クリップ２１の素材は、特に限定するものではない。マーカー１に磁石Ｍが取り付けられ、載置台２０が強磁性体などの磁石に引き寄せられる性質のものであればよい。マーカー１と載置台２０が引き付け合い、密着することができるからである。
【００５９】
また、本体２、若しくはゴルフマーカーセットＡは、必ずしもゴルフキャップのつば部Ｃに装着されるとは限らない。クリップ２１で挟持することができる場所であれば、ポケットの縁部やそで口、ポロシャツなどの上衣のすそ部なども考えられる。さらに、ベルトに挟んだ場合には、ゴルフマーカーセットＡを確実に固定することができるので、装着していることをさほど感じることなくプレーに専念することができる。
【００６０】
また、磁石Ｍの設置場所も中蓋１１の上面１１２中央付近に限定する必要もない。中蓋１１の上面１１２の中央付近以外の位置でも良い。あるいは中蓋１１の上面１１２を薄く覆うように磁石Ｍを設置することもできる。
【００６１】
［ゴルフマーカーセットＡの製造方法］
図２に示すように、ドーム状に形成された上蓋１０を被覆体１２で覆うように包み込み、被覆体１２の端部１２０を上蓋１０の内部に折り畳むように収容する。上蓋１０は内部が中空のドーム形状を有しているので、被覆体１２の端部１２０を収容することができる。
【００６２】
被覆体１２の端部１２０を収容した上蓋１０を中蓋１１に嵌合させる。上蓋１０が中蓋１１の上面１１２とエッジ部１１０で構成される空間に挟み込まれる際、同時に被覆体１２の端部１２０も外周部１００とエッジ部１１０の間に挟み込まれるので、被覆体１２は上蓋１０に隙間なく密着して挟持される。
【００６３】
ここで、必ずしも被覆体１２の素材は特に限定するものではないが、例えば、布や紙などの柔らかい素材で作られ、上蓋１０のドーム状の曲面に沿って貼付することができればよい。また、布地に沖縄特有のもの（例えば、「琉球びんがた」「宮古上布」「八重山ミンサー」など）を用いることで、沖縄をイメージしたゴルフマーカーセットを作ることができる。なお、沖縄特有の布地に限らず、他の地域で作られた布地であってもよい。あるいは、キャラクターがプリントされた布地なども考えられる。
【００６４】
また、「装飾を施す」ことには、上蓋１０を布地で覆って装飾を施すことだけでなく、琉球ガラスや琉球漆器の手法を用いて装飾されることも含まれる。
【００６５】
また、プレーヤーＰが他の装飾が施されたマーカーを手に入れたい場合には、被覆体１２を他の柄模様を有する被覆体と取り換えることで、新たなマーカーを造ることができる。以下に、被覆体を交換する方法について述べる。
【００６６】
［被覆体の取り換え方法］
マーカー１の上蓋１０を指で強く摘み押し上げるようにして、上蓋１０と中蓋１１を分離し、被覆体１２を取除く。このとき、上蓋１０は、中蓋１１の上面１１２とエッジ部１１０で囲われた空間に挟み込まれているが、上蓋１０と中蓋１１は浅く咬みあっているので、容易に取り外すことができる。
【００６７】
上蓋１０を別の柄模様を有する被覆体で覆い、被覆体の端部は上蓋１０の外周部１００を包みながら、上蓋１０の内部に形成された空間に収容される。
【００６８】
被覆体で覆われた上蓋１０を中蓋１１とエッジ部１１０で囲われた空間に挟み込み、固定する。被覆体を嗜好にあった柄模様に適宜取り換えることで、異なる装飾が施されたマーカーを造ることができ、新たにゴルフマーカーを購入する必要がなくなるので、経済的である。
【００６９】
［第１の実施の形態に係るゴルフ用具の使用方法］
図３に示すように、ゴルフコースを回る際、プレーヤーＰは、キャップのつば部Ｃにクリップ２１を用いて、ゴルフマーカーセットＡを取り付けておく。
【００７０】
プレーヤーＰは、ゴルフコースのグリーンＧ上に自己のボールが乗った際、他のプレーヤーのプレーを遮らないように、自己のボールＧＢの位置をマークして自己のボールを拾い上げる。
【００７１】
このとき、プレーヤーＰは、キャップのつば部Ｃに取り付けられたゴルフマーカーセットＡからマーカー１を取り外し、図５に示すように、自己のボールＧＢの位置をマークするためにマーカー１をボールＧＢの真後ろに置く。
【００７２】
このとき、グリーンＧ上に置かれたマーカー１の上蓋１０に取り付けられた、鮮やかな琉球びんがたなどの沖縄独特の布地がグリーンＧの緑に映え、他のボールマーカーにはないデザイン性を感じることができる。
【００７３】
マーカー１の内部には磁石Ｍが装着され、かつ載置台２０は強磁性体であるので、取り付け、取り外しを容易に行うことができ、必要な時にすばやく本体２から取り外して、使用することができる。また、ゴルフマーカーセットＡをキャップのつば部Ｃのように取り出しやすい位置に取り付けることが出来るので、使用するたびに、ポケットの中を探るなどしてマーカー１を探す必要はない。また、クリップ２１により本体２はキャップのつば部Ｃに確実に取り付けられているので、クリップ２１が容易につば部Ｃから離脱することはない。
【００７４】
他のプレーヤーのプレーが終わり、再びプレーヤーＰの打順となった場合にはマーカー１の前方にボールＧＢを置き、マーカー１を拾い上げ、ゴルフマーカーセットＡの載置台２０に装着し、プレーする。このように、使用が終わるたびに、定位置であるゴルフキャップのつば部Ｃに装着し直すことで、次回使用する際も迷うことなくつば部Ｃに手を伸ばすことで、容易にマーカー１を使用することができる。
【００７５】
［第２の実施の形態］
図４に示すように、本発明を適用した、第２の実施の形態のゴルフマーカーセットＢは、マーカー３と、マーカー３と着脱自在に密着可能であり、載置台４０に磁石Ｍ'が埋設された本体４とからなる。なお、ゴルフマーカーセットＢはゴルフ用具の一例であり、マーカー３は離脱体の一例である。
【００７６】
マーカー３は、ドーム状の形状を有する上蓋３０と、上蓋３０と嵌合可能な、円盤状の形状を有する中蓋３１とから成り、中空に形成されている。上蓋３０には、布地である被覆体３２が上蓋３０を覆い包み込むように取り付けられている。
【００７７】
中蓋３１は強磁性体であるので、マーカー３は、載置台４０に取り付けられた磁石Ｍ'により、本体４と着脱自在であり、かつ本体４と密着可能に設けられている。ゴルフマーカーセットＢの他の構造は、ゴルフマーカーセットＡと同一であるので、詳細な説明は省略する。
【００７８】
載置台４０は、上蓋３０の外周部（図示せず）及び中蓋３１のエッジ部（図示せず）と同一の形状の、平面視円形状の形状を有する。また、中蓋３１は強磁性体であり、載置台４０の上面４００の略中央付近には磁石Ｍ'が埋設されているので、マーカー３と載置台４０の磁石Ｍ'と互いに引き付け合い、一定の力をもって確実に密着させることができる。また、この一定の力は、プレーヤーＰが指でマーカー３を摘んでマーカー３と載置台４０を相互にスライドさせることで、容易に取り外すことができる程度の強さであるので、マーカー３は載置台４０に着脱容易な構造となっている。
【００７９】
上記のような構造であることから、強磁性体である載置台４０の上面４００は、磁石Ｍ'が取り付けられた中蓋３１と密着することができるので容易に離脱しにくくなっており、またプレーヤーＰが取り外そうとした場合にのみ取り外すことができる。このことにより、プレーヤーＰはプレー中にマーカー３をポケットに入れる必要がないので、いつでも必要な時にすぐマーカー３を取り出すことができ、円滑にプレーすることができる。
【００８０】
プレーヤーＰは、グリーンＧ上でマーカー３を載置台４０から取り外してグリーンＧ上に置き、ゴルフボールＧＢを拾い上げる。プレーヤーＰの打順が回ってきた場合には、マーカー３の前方にゴルフボールＧＢを置いて位置を確かめた後、マーカー３を拾い上げ載置台４０上に装着する。
【００８１】
ここで、磁石Ｍ'の設置場所も載置台４０の略中央付近に限定する必要もない。載置台４０の中央付近以外でも良く、あるいは載置台４０の上面４００を薄く覆うように磁石Ｍ'を設置することもできる。
【００８２】
［第３の実施の形態］
第１及び第２の実施の形態以外にも、例えばマーカー自体（図示せず）を上蓋と中蓋を嵌合可能な構造とせず、一体的な構造とすることもできる。この場合であっても、琉球ガラスや琉球漆器などの装飾をマーカーに施し、マーカー自体を取り換えることで新たな柄模様を有するゴルフマーカーセットを作ることができる。また、この場合には、マーカーのみを購入することが出来るようにすれば、ゴルフマーカーセットとして購入する必要がなく、安価に購入することができる。
【００８３】
また、マーカーに磁石を取り付け、載置台を磁性体とすることで、マーカーを載置台から容易に着脱することができる。ここで、磁石はマーカー側に取り付けられる場合だけではなく、載置台側に磁石を取り付けることも考えられる。その場合は、マーカー側が強磁性体で作られることとなる。
［第４の実施の形態］
第１、第２及び第３の実施の形態以外にも、例えば上蓋と中蓋を嵌合可能な構造とし、琉球ガラスや琉球漆器などの装飾が上蓋に施されたマーカーとすることもできる。この場合は、上蓋自体を取り換えることで新たな柄模様を有するゴルフマーカーセットを作ることができる。また、この場合には、上蓋のみを購入することが出来るようにすれば、ゴルフマーカーセットとして購入する必要がなく、安価に購入することができる。
【００８４】
このように、本発明を適用したゴルフ用具は、様々な装飾を楽しむことができ、かつ必要な時に直ぐに取り外して使用できるものとなっている。
【符号の説明】
【００８５】
Ａ  ゴルフマーカーセット
Ｂ  ゴルフマーカーセット
Ｃ  キャップのつば部
Ｍ、Ｍ'  磁石
Ｐ  プレーヤー
Ｇ  グリーン
ＧＢ  ゴルフボール
Ｈ  ホール
１  マーカー
２  本体
３  マーカー
４  本体
１０  上蓋
１１  中蓋
１２  被覆体
２０  載置台
２１  クリップ
３０  上蓋
３１  中蓋
３２  被覆体
４０  載置台
１００  外周部
１０１  曲面
１１０  エッジ部
１１２  中蓋の上面
１２０  被覆体の端部
２００  載置台の上面
２０１  載置台の下面
２１０  咬合部
２１１  緩衝部
４００  載置台の上面
【図１】
2017051288.tif 000003
【図２】
2017051288.tif 000004
【図３】
2017051288.tif 000005
【図４】
2017051288.tif 000006
【図５】
2017051288.tif 000007